(57)【要約】【課題】  屋根の積雪面に容易に設置できる屋根用除雪用具を提供する。【解決手段】  屋根用除雪用具１０は、屋根の積雪面１２に敷いて設置するものであって、投入する雪１２ａの重みで湾曲する矩形の雪の滑走板１４と、雪の滑走板１４の左右に設ける滑走板保持部材１６とを備え、屋根の積雪面１２上に雪の滑走板１４を支持するように屋根の積雪面１２に滑走板保持部材１６を配置するものである。雪の滑走板１４が屋根の積雪面１２上に支持された状態で、滑走板１４に雪１２ａを投入すると、滑走板１４が湾曲して雪の滑走路となる溝部１８が形成される。投入された雪１２ａは、溝部１８を通じて屋根の下流に運搬される。従来のように、除雪用具の設置前に屋根の積雪面にＵ字状の雪の滑走路を形成する必要がないことから、屋根の上での除雪用具の設置作業が極めて容易になる。【選択図】  図２
2020133267.tif 000002
【特許請求の範囲】
【請求項１】
屋根の積雪面に敷いて設置するものであって、投入する雪の重みで湾曲する矩形の雪の滑走板と、雪の滑走板の左右に設ける滑走板保持部材とを備え、屋根の積雪面上に雪の滑走板を支持するように屋根の積雪面に滑走板保持部材を配置することを特徴とする屋根用除雪用具。
【請求項２】
滑走板保持部材の滑走を防止するストッパー部材を設けることを特徴とする請求項１記載の屋根用除雪用具。
【請求項３】
雪の滑走板が波板であることを特徴とする請求項１又は請求項２に記載の屋根用除雪用具。
【発明の詳細な説明】
【技術分野】
【０００１】
本発明は、屋根の雪下ろしに用いる屋根用除雪用具に関する。
【背景技術】
【０００２】
降雪量の多い地域では、屋根の積雪で家屋が倒壊するおそれがある。そのため、屋根の雪下ろしが行われている。雪下ろしは、屋根の積雪を軒下に下す作業である。雪下ろしでは、雪かき用の手動利器例えばスコップやショベルなどを使用していた。
しかし、雪かき用の手動利器を用いて軒下まで雪を運ぶ雪下ろし作業は、重労働であった。また、軒付近における雪下ろし作業は、作業者が屋根から滑落する危険を伴うものであった。特に、勾配の大きい屋根では、滑落する危険性が高かった。
【０００３】
雪下ろし作業の重労働及び軒付近での屋根からの滑落を回避でき、屋根に積もった雪を軒下まで運搬できる、波板を略Ｕ字状に保持する波板保持具が提供されている（例えば、特許文献１）。
【先行技術文献】
【特許文献】
【０００４】
【特許文献１】特許第６１３２２７１号
【発明の概要】
【発明が解決しようとする課題】
【０００５】
特許文献１の波板保持具は、波板を屈曲させて略Ｕ字状に保持する波板保持具である。波板保持具を装着して略Ｕ字状に保持された波板を屋根の積雪面に設置することにより、積雪面に雪の滑走路を形成することができる。これにより、雪の滑走路に投げ入れた雪を軒下まで運搬できることから、雪下ろし作業を軽減できる。また、軒付近での雪下ろし作業がなくなり、屋根からの滑落を回避できる。
【０００６】
しかし、特許文献１の波板保持具を用いて波板を略Ｕ字状に保持する場合、波板に波板保持具を取り付ける必要がある。Ｕ字状に形成した波板は持ち運び難く、また、Ｕ字状の波板を傾かないよう屋根の積雪面上に固定する必要があり、積雪のある屋根に設置し難いものであった。
【０００７】
本発明は、上述の問題を解決するものであって、屋根の積雪面に容易に設置できる屋根用除雪用具を提供することを目的とする。
【課題を解決するための手段】
【０００８】
本発明の屋根用除雪用具は、屋根の積雪面に敷いて設置するものであって、投入する雪の重みで湾曲する矩形の雪の滑走板と、雪の滑走板の左右に設ける滑走板保持部材とを備え、屋根の積雪面上に雪の滑走板を支持するように屋根の積雪面に滑走板保持部材を配置するようにしたものである。
【０００９】
また、滑走板保持部材の滑走を防止するストッパー部材を設けるようにしたものである。
【００１０】
また、雪の滑走板が波板であるようにしたものである。
【発明の効果】
【００１１】
本発明の屋根用除雪用具は、屋根の積雪面に敷いて設置するものであり、屋根の積雪面上に雪の滑走板を支持し、雪の滑走板に雪を投入することにより、積雪面に雪の滑走路を形成する。従来のように、除雪用具の設置前に屋根の積雪面にＵ字状の雪の滑走路を形成する必要がないことから、屋根の上での除雪用具の設置作業が極めて容易になる。
また、雪の滑走板に雪を投げ入れることにより、雪を軒下まで運搬できることから、雪かき用の手動利器を用いて軒下まで雪を運ぶ雪下ろし作業を軽減でき、屋根からの滑落も回避できる。
【図面の簡単な説明】
【００１２】
【図１】屋根の積雪面に設置した本発明の屋根用除雪用具の平面図である。
【図２】図１のＡ−Ａ断面図である。
【図３】本発明の屋根用除雪用具を使用した雪下ろし作業図である。
【図４】ストッパー部材を表わす図である。
【発明を実施するための形態】
【００１３】
本発明の屋根用除雪用具は、雪下ろし作業の省力化を実現するものである。
【実施例】
【００１４】
本発明の屋根用除雪用具を図に基づいて説明する。図１は、屋根の積雪面に設置した本発明の屋根用除雪用具の平面図である。図２は、図１のＡ−Ａ断面図であり、図（ａ）は屋根用除雪用具の設置状態図、図（ｂ）は雪の滑走路を表す図である。図３は、本発明の屋根用除雪用具を使用した雪下ろし作業図である。図４は、ストッパー部材を表わす図であり、図（ａ）はストッパー部材を屋根の側面側から見た図、図（ｂ）は図（ａ）のＢ−Ｂ拡大断面図（ストッパー部材を屋根の上流側から見た図）である。
本発明の屋根用除雪用具１０は、勾配のある屋根の積雪面１２に敷いて設置するものである（図１、図３）。屋根用除雪用具１０は、雪の滑走板１４と滑走板保持部材１６とを備えるものである。
雪の滑走板１４は、雪を載せると、雪の重み（荷重）で湾曲するようになっている。滑走板１４としては、矩形のポリ塩化ビニル製やポリカーボネート製の波板（断面が波型の合成樹脂製の板、海鼠板）が好ましい。波板の滑走板１４は、雪が投入されると、投入された雪の重みにより湾曲し、屋根の積雪面１２に雪の滑走路（図２（ｂ）の溝１８）を形成する。
また、波板の滑走板１４は、容易に二つ折りにできることから、屋根用除雪用具１０の持ち運びを容易にすることができる。
なお、滑走板１４は、上例の波板に限るものではない。雪の重さで湾曲し、雪の滑走を妨げない素材であれば足りる。
【００１５】
滑走板保持部材１６は、矩形の雪の滑走板１４の左右に設けられている板材である（図１、図３）。雪の滑走板１４の左右の端部は、板材の滑走板保持部材１６に固定されている。
屋根の積雪面１２に屋根用除雪用具１０を敷いて設置する際、滑走板保持部材１６は、屋根の積雪面１２上に雪の滑走板１４を支持するように屋根の積雪面１２に配置する（図２（ａ））。
雪の滑走板１４が屋根の積雪面１２上に支持された状態で（図２（ａ））、雪の滑走板１４に雪１２ａ（手動利器で除雪された雪）を投入すると、積雪面１２上に支持された雪の滑走板１４は、雪１２ａの重みで湾曲し、溝部１８を形成する（図２（ｂ））。雪１２ａの重みで形成される溝部１８は投入された雪１２ａの滑走路となり、溝部１８を通じて雪１２ａが屋根の下流（軒下）に運搬される（図３）。
投入された雪１２ａが雪の滑走板１４を滑走し屋根の軒下に運搬されると、すなわち、雪の滑走板１４に雪１２ａが無くなると、雪の滑走板１４が屋根の積雪面１２上に支持された状態に戻る（図２（ａ））。
なお、本実施例では、雪の滑走板１４を固定する滑走板保持部材１６に板材を用いたが、これに限るものではない。滑走板保持部材１６は、屋根の積雪面１２に配置（設置）できるものであり、屋根の積雪面１２上に雪の滑走板１４を支持することができるものであればよい。
【００１６】
屋根用除雪用具１０は、屋根の積雪面１２に敷いて設置されるものであり、従来のＵ字状の雪の滑走路を形成する除雪用具と比較して、除雪用具の高さが極めて低い。本実施例の滑走板保持部材１６は板材であることから、屋根用除雪用具１０の高さはほぼゼロである。したがって、手動利器で除雪した雪１２ａを雪の滑走板１４に投入するために費やす労力は、高さのある従来のＵ字状の滑走路を形成する除雪用具に比べて極めて少ない。また、雪の滑走板１４は、滑走板保持部材１６によって屋根の積雪面１２上に支持された状態にあり、雪の滑走板１４に雪１２ａを容易に投入することができる。
【００１７】
以上のように、本発明の屋根用除雪用具は、屋根の積雪面上に支持される雪の滑走板に雪を投入することにより、積雪面に雪の滑走路を形成するものである。すなわち、本発明の屋根用除雪用具を屋根の積雪面上に敷いて設置する作業（屋根の積雪面上に雪の滑走板を支持する作業）のみで、積雪面に雪の滑走路を形成することができる。これにより、従来除雪の作業前に行われていた、積雪面に雪の滑走路を形成するために必要な種々の作業を省略でき、雪の滑走板に雪を投入することも容易であることから、雪下ろし作業の労力を軽減することができる。
また、本発明の屋根用除雪用具を屋根の軒まで敷いて設置することにより、軒下まで除雪した雪を運搬することができることから、軒付近での雪下ろし作業が不要となり、軒付近における雪下ろし作業の危険を回避できる。
【００１８】
勾配の大きい屋根や積雪面１２が滑り易い状態にある屋根に屋根用除雪用具１０を設置する場合、滑走板保持部材１６が積雪面１２を滑走するおそれがある。この場合、滑走板保持部材１６の滑走を防止するストッパー部材を設ける。たとえば、ストッパー部材として、積雪面１２に滑走板保持部材１６を固定するための固定手段２０を設ける（図１、図４）。図１及び図４に示す固定手段２０は、滑走板保持部材１６に形成する貫通穴２０ａと、貫通穴２０ａから積雪面１２に挿し込む杭状の部材２０ｂとからなるものである。図４の杭状の部材２０ｂは、テーパ―状に形成した板材である（図４（ｂ））。図１の貫通穴２０ａは、図４のテーパ―状に形成した板材２０ｂを積雪面１２に向けて挿し込むことができる大きさに形成されている。板材２０ｂはその広い面が下流を向くように設置する。これにより、滑走板保持部材１６の滑走を防止することができる。なお、ストッパー部材は、固定手段２０に限るものではなく、滑走板保持部材１６の滑走を防止することができる他の滑走防止手段であってもよい。
【符号の説明】
【００１９】
１０  屋根用除雪用具
１２  積雪面
１２ａ  雪
１４  雪の滑走板
１６  滑走板保持部材
２０  ストッパー部材
【図１】
2020133267.tif 000003
【図２】
2020133267.tif 000004
【図３】
2020133267.tif 000005
【図４】
2020133267.tif 000006